(57)【要約】【課題】受信信号の運用周波数帯域が変更された場合でも柔軟に対応すること。【解決手段】本発明に係る無線装置１は、第１の周波数帯域の第１の受信信号と、第２の周波数帯域の第２の受信信号の合成信号を生成する加算器２と、合成信号を局発信号に基づき中間周波数に変換するミキサ３と、局発信号をミキサ３に供給する局発信号供給部４と、変換後の合成信号をサンプリング信号に基づきＡ／Ｄ変換するＡ／Ｄ変換器５と、サンプリング信号をＡ／Ｄ変換器５に供給するサンプリング信号供給部６と、局発信号及びサンプリング信号の周波数を制御する制御部７を備える。制御部７は、外部から通知された第１の周波数帯域及び第２の周波数帯域に基づき、中間周波数に変換した場合における第１の周波数帯域及び第２の周波数帯域が、サンプリング信号の１／２倍の周波数の倍数の周波数を跨らないように、局発信号及びサンプリング信号の周波数を決定する。【選択図】図４
2014146971.tif 000002
【特許請求の範囲】
【請求項１】
第１の周波数帯域における第１の受信信号と、前記第１の周波数帯域とは異なる第２の周波数帯域における第２の受信信号とを合成し、合成信号を生成する加算器と、
前記加算器によって生成された合成信号を、局発信号に基づいて中間周波数に変換するミキサと、
前記局発信号を生成し、前記ミキサに供給する局発信号供給部と、
前記ミキサによって変換後の合成信号を、サンプリング信号に基づいてＡ／Ｄ変換するＡ／Ｄ変換器と、
前記サンプリング信号を生成し、前記Ａ／Ｄ変換器に供給するサンプリング信号供給部と、
前記局発信号供給部が生成する局発信号の周波数と、前記サンプリング信号供給部が生成するサンプリング信号の周波数とを制御する制御部と、を備え、
前記制御部は、外部から通知された前記第１の周波数帯域及び前記第２の周波数帯域に基づいて、前記中間周波数に変換した場合における前記第１の周波数帯域、及び、前記中間周波数に変換した場合における前記第２の周波数帯域が、前記サンプリング信号の１／２倍の周波数の倍数となる周波数を跨らないように、前記局発信号の周波数及び前記サンプリング信号の周波数を決定する、
無線装置。
【請求項２】
前記制御部は、
前記第１の周波数帯域として、前記第１の周波数帯域の中心周波数及び帯域幅の通知を受け、
前記第２の周波数帯域として、前記第２の周波数帯域の中心周波数及び帯域幅の通知を受け、
前記第１の周波数帯域及び前記第２の周波数帯域のそれぞれについて、以下の式（１）又は式（２）を満たすように、前記局発信号の周波数及び前記サンプリング信号の周波数を決定する、
請求項１に記載の無線装置。
ｎ×ｆｃｌｋ＋ｆＢＷ／２  ≦  ｆＩＦ  ≦  （ｎ＋１／２）×ｆｃｌｋ−ｆＢＷ／２  ・・・  （１）
（ｎ＋１／２）×ｆｃｌｋ＋ｆＢＷ／２  ≦  ｆＩＦ  ≦  （ｎ＋１）×ｆｃｌｋ−ｆＢＷ／２  ・・・  （２）
ここで、
ｆＩＦ：前記周波数帯域の中心周波数を中間周波数に変換した場合における周波数、
ｆＢＷ：前記周波数帯域の帯域幅、
ｆｃｌｋ：前記サンプリング信号の周波数、
ｎ：所定の１以上の整数、
とする。
【請求項３】
前記制御部は、
前記局発信号の周波数が、前記第１の周波数帯域の中心周波数と、前記第２の周波数帯域の中心周波数の間の周波数となり、かつ、
前記式（１）及び前記式（２）のうち、前記第１の周波数帯域についてはいずれか一方を満たし、前記第２の周波数帯域については他方を満たすように、前記局発信号の周波数及び前記サンプリング信号の周波数を決定する、
請求項２に記載の無線装置。
【請求項４】
前記無線装置は、さらに、前記サンプリング信号の周波数の候補を複数示す設定パターン情報が格納された記憶部を備え、
前記制御部は、前記記憶部に格納された設定パターン情報が示すサンプリング信号の周波数の候補を、所定の順序で前記式（１）又は前記式（２）に当てはめていき、前記式（１）又は前記式（２）を満たす局発信号の周波数が算出できた場合における局発信号の周波数及びサンプリング信号の周波数を、前記局発信号の周波数及び前記サンプリング信号の周波数として決定する、
請求項２又は３に記載の無線装置。
【請求項５】
前記無線装置は、さらに、
前記Ａ／Ｄ変換器によってＡ／Ｄ変換後の合成信号を直交復調する直交復調部と、
前記直交復調部によって直交復調された合成信号から第１の受信信号及び第２の受信信号を抽出する受信信号抽出部と、を備えた、
請求項１乃至４のいずれか１項に記載の無線装置。
【請求項６】
前記直交復調部は、
前記Ａ／Ｄ変換器によってＡ／Ｄ変換後の合成信号を直交復調する第１の直交復調部と、
前記Ａ／Ｄ変換器によってＡ／Ｄ変換後の合成信号を直交復調する第２の直交復調部と、を有し、
前記受信信号抽出部は、
前記第１の直交復調部によって直交復調された合成信号における第１の受信信号の周波数が所定の第１周波数となるように、前記合成信号に周波数オフセットをかける第１のＮＣＯ部と、
前記第２の直交復調部によって直交復調された合成信号における第２の受信信号の周波数が所定の第２周波数となるように、前記合成信号に周波数オフセットをかける第２のＮＣＯ部と、
前記第１のＮＣＯ部によって周波数オフセットがかけられた合成信号から前記所定の第１周波数を通過させて、前記第１の受信信号を抽出する第１のフィルタ部と、
前記第２のＮＣＯ部によって周波数オフセットがかけられた合成信号から前記所定の第２周波数を通過させて、前記第２の受信信号を抽出する第２のフィルタ部と、を有する、
請求項５項に記載の無線装置。
【請求項７】
局発信号の周波数と、サンプリング信号の周波数とを設定する周波数設定ステップと、
第１の周波数帯域における第１の受信信号と、前記第１の周波数帯域とは異なる第２の周波数帯域における第２の受信信号とを合成し、合成信号を生成する信号合成ステップと、
前記生成された合成信号を、前記局発信号に基づいて中間周波数に変換する第１の信号変換ステップと、
前記変換後の合成信号を、前記サンプリング信号に基づいてＡ／Ｄ変換する第２の信号変換ステップと、を備え、
前記周波数設定ステップでは、外部から通知された前記第１の周波数帯域及び前記第２の周波数帯域に基づいて、前記中間周波数に変換した場合における前記第１の周波数帯域、及び、前記中間周波数に変換した場合における前記第２の周波数帯域が、前記サンプリング信号の１／２倍の周波数の倍数となる周波数を跨らないように、前記局発信号の周波数及び前記サンプリング信号の周波数を決定する、
信号処理方法。
【請求項８】
無線装置と、前記無線装置を制御する無線装置制御装置を備えた無線基地局であって、
前記無線装置は、
第１の周波数帯域における第１の受信信号と、前記第１の周波数帯域とは異なる第２の周波数帯域における第２の受信信号とを合し、合成信号を生成する加算器と、
前記加算器によって生成された合成信号を、局発信号に基づいて中間周波数に変換するミキサと、
前記局発信号を生成し、前記ミキサに供給する局発信号供給部と、
前記ミキサによって変換後の合成信号を、サンプリング信号に基づいてＡ／Ｄ変換するＡ／Ｄ変換器と、
前記サンプリング信号を生成し、前記Ａ／Ｄ変換器に供給するサンプリング信号供給部と、
前記Ａ／Ｄ変換器によってＡ／Ｄ変換後の合成信号を直交復調する直交復調部と、
前記直交復調部によって直交復調された合成信号から第１の受信信号及び第２の受信信号を抽出する受信信号抽出部と、
前記受信信号抽出部が抽出した第１の受信信号及び第２の受信信号を前記無線装置制御装置に送信する送信部と、
前記局発信号供給部が生成する局発信号の周波数と、前記サンプリング信号供給部が生成するサンプリング信号の周波数とを制御する制御部と、を有し、
前記無線装置制御装置は、
前記無線装置から送信された第１の受信信号及び第２の受信信号を受信する受信部と、
前記受信部によって受信された第１の受信信号及び第２の受信信号を処理する処理部と、
前記第１の受信信号及び前記第２の受信信号のそれぞれの周波数及び帯域幅を前記無線装置に通知する通知部と、を有し、
前記制御部は、前記無線装置制御装置から通知された前記第１の周波数帯域及び前記第２の周波数帯域に基づいて、前記中間周波数に変換した場合における前記第１の周波数帯域、及び、前記中間周波数に変換した場合における前記第２の周波数帯域が、前記サンプリング信号の１／２倍の周波数の倍数となる周波数を跨らないように、前記局発信号の周波数及び前記サンプリング信号の周波数を決定する、
無線基地局。
【発明の詳細な説明】
【技術分野】
【０００１】
本発明は、無線装置、信号処理方法、及び無線基地局に関し、特に第１の周波数帯域における第１の受信信号と、前記第１の周波数帯域とは異なる第２の周波数帯域における第２の受信信号を中間周波数に変換し、Ａ／Ｄ変換する技術に関する。
【背景技術】
【０００２】
３ＧＰＰ（ＴＳ  ３６  １０４ｖ１１．０．０）において、Ｉｎｔｅｒ−ｂａｎｄ  ＣＡは、Ｏｐｅｒａｔｉｎｇ  ｂａｎｄ  １（受信周波数１９２０〜１９８０ＭＨｚ）とＯｐｅｒａｔｉｎｇ  ｂａｎｄ  ５（受信周波数８２４〜８４９ＭＨｚ）を使用することとなっている。一般的に言われている２ＧＨｚ帯と８００ＭＨｚ帯であることから、ヘテロダイン方式の受信機のように受信信号を受信周波数から中間周波数に周波数変換してＡ／Ｄ変換を行う場合、受信機は、２ＧＨｚ帯における受信周波数の受信信号を中間周波数に変換し、Ａ／Ｄ変換する機能と、８００ＭＨｚ帯における受信周波数の受信信号を中間周波数に変換し、Ａ／Ｄ変換する機能とを独立して備える必要がある。すなわち、受信機は、低雑音増幅器からＡ／Ｄ変換器まで２系統を備えていた。
【０００３】
特許文献１には、第１のＲＦ帯域（８００ＭＨ帯）のＲＦ信号と、第２のＲＦ帯域（２ＧＨｚ帯）のＲＦ信号を受信する受信機が開示されている。この受信機は、ＲＦ信号を合成してから、低雑音増幅器によって増幅し、ミキサによってＩＦ信号へ変換し、Ａ／Ｄ変換器によってサンプリングするようにしている。特許文献１では、これによって、周波数の離れた２つの帯域の信号を同時に一括してサンプリングすることができるので、受信機の小型化につながると述べられている。
【先行技術文献】
【特許文献】
【０００４】
【特許文献１】特開２０１０−１１３７６号公報
【発明の概要】
【発明が解決しようとする課題】
【０００５】
しかしながら、特許文献１に開示の受信機は、受信信号（ＲＦ信号）の運用周波数帯域を固定的に扱っており、受信信号の運用周波数帯域が変更された場合に対応することができないという課題がある。
【０００６】
本発明の目的は、上述したような課題を解決するために、受信信号の運用周波数帯域が変更された場合であっても柔軟に対応することができる無線装置、信号処理方法、及び無線基地局を提供することである。
【課題を解決するための手段】
【０００７】
本発明の第１の態様に係る無線装置は、第１の周波数帯域における第１の受信信号と、前記第１の周波数帯域とは異なる第２の周波数帯域における第２の受信信号とを合成し、合成信号を生成する加算器と、前記加算器によって生成された合成信号を、局発信号に基づいて中間周波数に変換するミキサと、前記局発信号を生成し、前記ミキサに供給する局発信号供給部と、前記ミキサによって変換後の合成信号を、サンプリング信号に基づいてＡ／Ｄ変換するＡ／Ｄ変換器と、前記サンプリング信号を生成し、前記Ａ／Ｄ変換器に供給するサンプリング信号供給部と、前記局発信号供給部が生成する局発信号の周波数と、前記サンプリング信号供給部が生成するサンプリング信号の周波数とを制御する制御部と、を備え、前記制御部は、外部から通知された前記第１の周波数帯域及び前記第２の周波数帯域に基づいて、前記中間周波数に変換した場合における前記第１の周波数帯域、及び、前記中間周波数に変換した場合における前記第２の周波数帯域が、前記サンプリング信号の１／２倍の周波数の倍数となる周波数を跨らないように、前記局発信号の周波数及び前記サンプリング信号の周波数を決定するものである。
【０００８】
本発明の第２の態様に係る信号処理方法は、局発信号の周波数と、サンプリング信号の周波数とを設定する周波数設定ステップと、第１の周波数帯域における第１の受信信号と、前記第１の周波数帯域とは異なる第２の周波数帯域における第２の受信信号とを合成し、合成信号を生成する信号合成ステップと、前記生成された合成信号を、前記局発信号に基づいて中間周波数に変換する第１の信号変換ステップと、前記変換後の合成信号を、前記サンプリング信号に基づいてＡ／Ｄ変換する第２の信号変換ステップと、を備え、前記周波数設定ステップでは、外部から通知された前記第１の周波数帯域及び前記第２の周波数帯域に基づいて、前記中間周波数に変換した場合における前記第１の周波数帯域、及び、前記中間周波数に変換した場合における前記第２の周波数帯域が、前記サンプリング信号の１／２倍の周波数の倍数となる周波数を跨らないように、前記局発信号の周波数及び前記サンプリング信号の周波数を決定するものである。
【０００９】
本発明の第３の態様に係る基地局装置は、無線装置と、前記無線装置を制御する無線装置制御装置を備えた無線基地局であって、前記無線装置は、第１の周波数帯域における第１の受信信号と、前記第１の周波数帯域とは異なる第２の周波数帯域における第２の受信信号とを合し、合成信号を生成する加算器と、前記加算器によって生成された合成信号を、局発信号に基づいて中間周波数に変換するミキサと、前記局発信号を生成し、前記ミキサに供給する局発信号供給部と、前記ミキサによって変換後の合成信号を、サンプリング信号に基づいてＡ／Ｄ変換するＡ／Ｄ変換器と、前記サンプリング信号を生成し、前記Ａ／Ｄ変換器に供給するサンプリング信号供給部と、前記Ａ／Ｄ変換器によってＡ／Ｄ変換後の合成信号を直交復調する直交復調部と、前記直交復調部によって直交復調された合成信号から第１の受信信号及び第２の受信信号を抽出する受信信号抽出部と、前記受信信号抽出部が抽出した第１の受信信号及び第２の受信信号を前記無線装置制御装置に送信する送信部と、前記局発信号供給部が生成する局発信号の周波数と、前記サンプリング信号供給部が生成するサンプリング信号の周波数とを制御する制御部と、を有し、前記無線装置制御装置は、前記無線装置から送信された第１の受信信号及び第２の受信信号を受信する受信部と、前記受信部によって受信された第１の受信信号及び第２の受信信号を処理する処理部と、前記第１の受信信号及び前記第２の受信信号のそれぞれの周波数及び帯域幅を前記無線装置に通知する通知部と、を有し、前記制御部は、前記無線装置制御装置から通知された前記第１の周波数帯域及び前記第２の周波数帯域に基づいて、前記中間周波数に変換した場合における前記第１の周波数帯域、及び、前記中間周波数に変換した場合における前記第２の周波数帯域が、前記サンプリング信号の１／２倍の周波数の倍数となる周波数を跨らないように、前記局発信号の周波数及び前記サンプリング信号の周波数を決定するものである。
【発明の効果】
【００１０】
上述した本発明の各態様によれば、受信信号の運用周波数帯域が変更された場合であっても柔軟に対応することができる無線装置、信号処理方法、及び無線基地局を提供することができる。
【図面の簡単な説明】
【００１１】
【図１】実施の形態に係る無線基地局の構成図である。
【図２Ａ】局発信号の周波数と、第１の周波数帯域及び第２の周波数帯域との関係を示す図である。
【図２Ｂ】サンプリングクロック信号の周波数と、中間周波数に変換した場合における第１の周波数帯域及び第２の周波数帯域との関係を示す図である。
【図３Ａ】ミキサに入力される第１の受信信号と第２の受信信号のスペクトラム波形を示す図である。
【図３Ｂ】Ａ／Ｄ変換器に入力される第１の受信信号と第２の受信信号のスペクトラム波形を示す図である。
【図３Ｃ】直交復調部に入力される第１の受信信号と第２の受信信号のスペクトラム波形を示す図である。
【図３Ｄ】ＮＣＯ部に入力される第１の受信信号と第２の受信信号のスペクトラム波形を示す図である。
【図３Ｅ】フィルタ部に入力される第１の受信信号と第２の受信信号のスペクトラム波形を示す図である。
【図４】実施の形態に係る無線装置の構成図である。
【発明を実施するための形態】
【００１２】
以下に図面を参照しながら、本発明の好適な実施の形態について説明する。以下の実施の形態に示す具体的な数値等は、発明の理解を容易とするための例示にすぎず、特に断る場合を除き、それに限定されるものではない。また、以下の記載及び図面では、説明の明確化のため、当業者にとって自明な事項等については、適宜、省略及び簡略化がなされている。
【００１３】
＜発明の実施の形態＞
図１を参照して、本発明の実施の形態に係る無線基地局１０の構成について説明する。図１は、本発明の実施の形態に係る無線基地局１０の構成図である。
【００１４】
無線基地局１０は、アンテナ１１、１２、フィルタ２１、２２、ＲＥ（Ｒａｄｉｏ  Ｅｑｕｉｐｍｅｎｔ：無線装置）装置１００、及びＲＥＣ（Ｒａｄｉｏ  Ｅｑｕｉｐｍｅｎｔ  Ｃｏｎｔｒｏｌ：無線装置制御）装置２００を有する。ＲＥ装置１００とＲＥＣ装置２００は、光ケーブル９２を介して接続されており、相互に任意の信号を送受信可能となっている。
【００１５】
ＲＥ装置１００は、加算器２３、低雑音増幅器３１、ミキサ４１、ＰＬＬ４２、Ａ／Ｄ変換器５１、ＰＬＬ５２、直交復調部６１、６２、ＮＣＯ部７１、７２、フィルタ部８１、８２、ＣＰＲＩインタフェース部９１、制御部９３、及びメモリ部９４を有する。
【００１６】
ＲＥＣ装置２００は、ＣＰＲＩインタフェース部９５、処理部９６、及び設定インタフェース部９７を有する。
【００１７】
アンテナ１１及びアンテナ１２のそれぞれは、移動通信システムにおける受信信号を受信するアンテナである。すなわち、アンテナ１１及びアンテナ１２は、携帯電話端末から送信された信号を受信信号として受信する。ここで、アンテナ１１とアンテナ１２は、異なる受信周波数に対応した特性を有する。言い換えると、アンテナ１１とアンテナ１２は、相互に異なる運用周波数帯域の受信信号を受信する。以下、アンテナ１１で受信対象とする受信信号を「第１の受信信号」とも呼び、アンテナ１２で受信対象とする受信信号を「第２の受信信号」とも呼ぶ。また、第１の受信信号が属する運用周波数帯域を「第１の周波数帯域」とも呼び、第２の受信信号が属する運用周波数帯域を「第２の周波数帯域」とも呼ぶ。例えば、上述した３ＧＰＰであれば、第１の周波数帯域と第２の周波数帯域として、８００ＭＨｚ帯と２ＧＨｚ帯をそれぞれに割り当てるようにしてよい。
【００１８】
フィルタ２１及びフィルタ２２のそれぞれは、アンテナ１１及びアンテナ１２のそれぞれで受信される受信信号のみを通過させるフィルタである。すなわち、フィルタ２１及びフィルタ２２のそれぞれは、アンテナ１１及びアンテナ１２のそれぞれで受信対象とする受信信号の運用周波数帯域を通過周波数としている。すなわち、フィルタ２１は、受信信号のうち、第１の周波数帯域の周波数成分を通過させるとともに、その他の帯域の周波数成分は遮断する。また、フィルタ２２は、受信信号のうち、第２の周波数帯域の周波数成分を通過させるとともに、その他の周波数成分は遮断する。
【００１９】
ここで、アンテナ１１、アンテナ１２、フィルタ２１、及びフィルタ２２は、ＲＥ装置１００の外部に接続されており、取り外し可能に構成されている。これにより、アンテナ１１及びアンテナ１２の少なくとも１つで受信する受信信号の運用周波数帯域を変更したい場合、無線基地局１０の管理者が、その運用周波数帯域に応じた特性を有するアンテナ及びフィルタに、アンテナ１１及びフィルタ２１、並びに、アンテナ１２及びフィルタ２２の少なくとも一方を交換することで対応することが可能となる。
【００２０】
加算器２３は、フィルタ２１を通過した第１の受信信号と、フィルタ２２を通過した第２の受信信号を合成し、合成信号として低雑音増幅器３１に出力する。
【００２１】
低雑音増幅器３１は、加算器２３から出力された合成信号を低雑音で増幅させる。低雑音増幅器３１は、アンテナ１１で受信された受信信号と、アンテナ１２で受信された受信信号とを増幅可能な広帯域の増幅器となる。低雑音増幅器３１は、増幅後の合成信号をミキサ４１に出力する。
【００２２】
ミキサ４１は、後述のＰＬＬ４２から供給される局発信号に基づいて、低雑音増幅器３１から出力された合成信号を中間周波数に周波数変換する。ミキサ４１は、周波数変換後の合成信号をＡ／Ｄ変換器５１に出力する。
【００２３】
ＰＬＬ４２は、発振器と位相比較器で構成される。ＰＬＬ４２は、ＰＬＬ（Ｐｈａｓｅ  Ｌｏｃｋｅｄ  Ｌｏｏｐ)方式で動作し、局発信号を生成してミキサ４１に供給する。ＰＬＬ４２は、制御部９３から設定された周波数で局発信号を生成する。
【００２４】
Ａ／Ｄ変換器５１は、ミキサ４１から出力されたアナログ信号となる合成信号をデジタル信号へと変換する。Ａ／Ｄ変換器５１は、変換後の合成信号を直交復調部６１及び直交復調部６２に出力する。
【００２５】
ＰＬＬ５２は、発振器と位相比較器で構成される。ＰＬＬ５２は、ＰＬＬ方式で動作し、サンプリングクロック信号を生成してＡ／Ｄ変換器５１に供給する。ＰＬＬ５２は、制御部９３から設定された周波数でサンプリングクロック信号を生成する。
【００２６】
直交復調部６１は、Ａ／Ｄ変換器５１から出力された合成信号をＩ、Ｑ信号に直交復調する。また、直交復調部６１は、アンテナ１１で受信する第１の受信信号と、ＰＬＬ４２の局発信号の周波数の関係からＩ、Ｑ信号の位相関係を反転可能な機能を有する。
【００２７】
直交復調部６２は、Ａ／Ｄ変換器５１から出力された合成信号をＩ信号及びＱ信号に直交復調する。また、直交復調部６２は、アンテナ１２で受信する第２の受信信号と、ＰＬＬ４２の局発信号の周波数の関係からＩ信号及びＱ信号の位相関係を反転可能な機能を有する。
【００２８】
ＮＣＯ部７１及びＮＣＯ部７２のそれぞれは、ｓｉｎ信号とｃｏｓ信号を生成して周波数調整を行うＮＣＯ（Ｎｕｍｅｒｉｃａｌ  Ｃｏｎｔｒｏｌｌｅｄ  Ｏｓｃｉｌｌａｔｏｒ）の機能を有する。
【００２９】
フィルタ部８１及びフィルタ部８２のそれぞれは、デジタルフィルタで構成された帯域制限を行うフィルタである。フィルタ部８１は、アンテナ１１で受信した第１の受信信号のみを通過させるように帯域制限を行う。フィルタ部８２は、アンテナ１２で受信した第２の受信信号のみを通過させるように帯域制限を行う。
【００３０】
ＣＰＲＩインタフェース部９１は、フィルタ部８１とフィルタ部８２を通過した２つの受信信号をＣＰＲＩ（Ｃｏｍｍｏｎ  Ｐｕｂｌｉｃ  Ｒａｄｉｏ  Ｉｎｔｅｒｆａｃｅ）仕様に準拠したフォーマットに変換し、光ケーブル９２を介してＲＥＣ装置２００に送信する。また、ＣＰＲＩインタフェース部９１は、光ケーブル９２を介してＲＥＣ装置２００から制御信号を受信し、制御部９３に出力する。
【００３１】
制御部９３は、光ケーブル９２を介してＲＥＣ装置２００から送られる制御信号として通知される周波数帯域情報に基づいて、アンテナ１１で受信される第１の受信信号が属する第１の周波数帯域の中心周波数及び帯域幅と、アンテナ１２で受信される第２の受信信号が属する第２の周波数帯域の中心周波数及び帯域幅を認識する。すなわち、周波数帯域情報は、第１の周波数帯域の中心周波数及び帯域幅と、第２の周波数帯域の中心周波数及び帯域幅を示す情報となる。制御部９３は、通知された第１の周波数帯域及び第２の周波数帯域のそれぞれの中心周波数及び帯域幅に基づいて、ＰＬＬ４２及びＰＬＬ５２のそれぞれで生成する信号（局発信号及びサンプリング信号）の周波数を決定し、決定した周波数の信号を生成するようにＰＬＬ４２及びＰＬＬ５２を制御する。制御部９３は、例えば、ＣＰＵ（Ｃｅｎｔｒａｌ  Ｐｒｏｃｅｓｓｉｎｇ  Ｕｎｉｔ）を含み、本実施の形態における処理を実現するプログラムをＣＰＵによって実行することで動作する。このプログラムは、例えば、メモリ部９４に予め格納しておき、それをＣＰＵが実行するようにすればよい。
【００３２】
メモリ部９４は、ＲＥＣ装置２００から通知された周波数帯域情報が、制御部９３によって記憶される。制御部９３は、周波数帯域情報をメモリ部９４に記憶するとともに、その周波数帯域情報に基づいて、後述のようにＰＬＬ４２及びＰＬＬ５２で生成される局発信号の周波数及びサンプリングクロック信号の周波数を算出する。メモリ部９４は、制御部９３によって算出された局発信号の周波数及びサンプリングクロック信号の周波数も記憶される。また、メモリ部９４には、後述するように、複数のサンプリングクロック信号の周波数の候補を示す設定パターン情報も格納される。メモリ部９４は、各種情報を記憶できるようにメモリを含んで構成されている。
【００３３】
ＣＰＲＩインタフェース部９５は、処理部９６から出力された周波数帯域情報をＣＰＲＩ仕様に準拠したフォーマットに変換し、光ケーブル９２を介してＲＥＣ装置２００に制御信号として送信する。また、ＣＰＲＩインタフェース部９１は、光ケーブル９２を介してＲＥ装置１００から受信信号を受信し、処理部９６に出力する。
【００３４】
処理部９６は、ＣＰＲＩインタフェース部９５から出力された受信信号を処理する。処理部９６は、例えば、Ｉ、Ｑ信号に変換されている受信信号から元の信号を復元し、他の無線基地局に転送する等の処理を行う。また、処理部９６は、後述のように設定インタフェース部９７を介して入力される周波数帯域情報を、ＣＰＲＩインタフェース部９５に出力する。
【００３５】
設定インタフェース部９７は、無線基地局１０の管理者から、周波数帯域情報の入力を受ける入力部として機能する。ＲＥＣ装置２００は、設定インタフェース部９７を介して専用端末（図示せず）と接続される。設定インタフェース部９７は、管理者の専用端末に対する操作によって専用端末から送信されてきた周波数帯域情報を受信する。設定インタフェース部９７は、受信した周波数帯域情報を処理部９６に出力する。処理部９６は、設定インタフェース部９７から出力された周波数帯域情報を、上述したようにＣＰＲＩインタフェース部９５を介してＲＥ装置１００に送信する。
【００３６】
ここで、設定インタフェース部９７におけるインタフェースとして、管理者が操作する専用端末と接続可能なインタフェースであれば、任意のインタフェースを採用することができる。設定インタフェース部９７におけるインタフェースとして、例えば、シリアル（ＲＳ−２３２Ｃ）、ＵＳＢ、又はＬＡＮ（Ｌｏｃａｌ Ａｒｅａ  Ｎｅｔｗｏｒｋ）等のインタフェースを採用してよい。
【００３７】
ＲＥ装置１００は、ＣＰＲＩで規定されたＲＥ（Ｒａｄｉｏ  Ｅｑｕｉｐｍｅｎｔ）装置である。ＲＥＣ装置２００は、ＲＥ装置１００とＣＰＲＩで規定されたＲＥＣ（Ｒａｄｉｏ  Ｅｑｕｉｐｍｅｎｔ  Ｃｏｎｔｒｏｌ）装置である。光ケーブル９２は、ＲＥ装置１００とＲＥＣ装置２００との間で送受信される光信号として、ＲＥ装置１００からＲＥＣ装置２００に送信される受信信号と、ＲＥＣ装置２００からＲＥ装置１００に送信される制御信号を伝送する。
【００３８】
以上に説明した構成によって、本実施の形態では、第１の周波数帯域及び第２の周波数帯域の少なくとも１つが変更された場合であっても、制御部９３によってＲＥＣ装置２００から通知された周波数帯域情報に基づいて、ＰＬＬ４２とＰＬＬ５２で生成される局発信号及びサンプリングクロック信号の周波数を適切に制御することで、柔軟に対応することを可能としている。本実施の形態では、また、３ＧＰＰ(３ｒｄ  Ｇｅｎｅｒａｔｉｏｎ  Ｐａｒｔｎｅｒｓｈｉｐ  Ｐｒｏｊｅｃｔ)で規定された異なる周波数帯域を複数用いるＩｎｔｅｒ−ｂａｎｄ  ＣＡを実現するための低雑音増幅器３１からＡ／Ｄ変換器５１までの処理ブロックを１系統で処理できるようにしている。
【００３９】
なお、直交復調部６１及び直交復調部６２からＣＰＲＩインタフェース部９１まではＦＰＧＡ（Ｆｉｅｌｄ  Ｐｒｏｇｒａｍｍａｂｌｅ  Ｇａｔｅ  Ａｒｒａｙ）等で構成可能なため、機能ブロックとして説明している。
【００４０】
続いて、図２Ａ及び図２Ｂを参照して、本実施の形態に係る局発信号の周波数及びサンプリングクロック信号の周波数決定方法について説明する。図２Ａは、本実施の形態に係る周波数決定方法によって決定される局発信号の周波数と、第１の周波数帯域及び第２の周波数帯域との関係を示す図である。図２Ｂは、本実施の形態に係る周波数決定方法によって決定されるサンプリングクロック信号の周波数と、中間周波数に変換した場合における第１の周波数帯域及び第２の周波数帯域との関係を示す図である。
【００４１】
本実施の形態では、制御部９３は、ＲＥＣ装置２００から周波数帯域情報の通知に応じて、周波数帯域情報が示す第１の周波数帯域及び第２の周波数帯域のそれぞれの中間周波数及び帯域幅に基づいて、以下の式（１）〜（４）によって、局発信号の周波数とサンプリング信号の周波数とを算出する。
【００４２】
｜ｆ１―ｆｌｏ｜＝ｆ１ＩＦ  ・・・  （１）
｜ｆ２―ｆｌｏ｜＝ｆ２ＩＦ  ・・・  （２）
ｆｃｌｋ＋ｆ１ＢＷ／２≦ｆ１ＩＦ≦３／２×ｆｃｌｋ−ｆ１ＢＷ／２  ・・・  （３）
２×ｆｃｌｋ＋ｆ２ＢＷ／２≦ｆ２ＩＦ≦５／２×ｆｃｌｋ−ｆ２ＢＷ／２  ・・・  （４）
【００４３】
ここで、式（１）〜（４）における「ｆ１」、「ｆ２」、「ｆｌｏ」、「ｆｃｌｋ」、「ｆ１ＩＦ」、「ｆ２ＩＦ」、「ｆ１ＢＷ」、「ｆ２ＢＷ」は、それぞれ、以下を示している。なお、ｆ１＜ｆ２である。
【００４４】
ｆ１：第１の周波数帯域の中心周波数
ｆ２：第２の周波数帯域の中心周波数
ｆｌｏ：局発信号の周波数（ＰＬＬ４２の出力の周波数）
ｆｃｌｋ：サンプリングクロック信号の周波数（ＰＬＬ５２の出力の周波数）
ｆ１ＩＦ：中間周波数に変換した場合における第１の周波数帯域の中心周波数
ｆ２ＩＦ：中間周波数に変換した場合における第２の周波数帯域の中心周波数
ｆ１ＢＷ：第１の周波数帯域の帯域幅
ｆ２ＢＷ：第２の周波数帯域の帯域幅
【００４５】
まず、ミキサ４１によって中間周波数に変換後の受信信号の周波数は、中間周波数に変換前の受信信号の周波数と局発信号の周波数との差分の絶対値となる。仮に、図２Ａ及び図２Ｂにおいて、第１の受信信号の周波数を「ｆ１」とした場合、中間周波数に変換後の第１の受信信号の周波数は上記式（１）における「ｆ１ＩＦ」となる。また、仮に、第２の受信信号の周波数を「ｆ２」とした場合、中間周波数に変換後の第２の受信信号の周波数は上記式（２）における「ｆ２ＩＦ」となる。
【００４６】
ここで、Ａ／Ｄ変換器５１のサンプリングクロック信号の１／２倍の周波数の倍数となる周波数（ｆｃｌｋ、３／２×ｆｃｌｋ、２×ｆｃｌｋ、５／２×ｆｃｌｋ・・・）と、Ａ／Ｄ変換器５１によるＡ／Ｄ変換の対象となる中間周波数に変換後の受信信号の周波数とが一致してしまう場合には、Ａ／Ｄ変換（サンプリング）が正常にできなくなってしまうという問題がある。よって、例えば、仮に、上述したように第１の受信信号及び第２の受信信号の周波数を「ｆ１」「ｆ２」とした場合に、中間周波数に変換後の第１の受信信号及び第２の受信信号の周波数「ｆ１ＩＦ」、「ｆ２ＩＦ」がサンプリングクロック信号ｆｃｌｋの周波数の１／２倍の周波数の倍数と一致しないようにする必要がある。
【００４７】
それに対して、上記式（３）によれば、中間周波数に変換した場合における第１の周波数帯域が、サンプリングクロック信号の１倍の周波数と３／２倍の周波数との範囲内に収まるように、局発信号の周波数ｆｌｏ及びサンプリングクロック信号の周波数ｆｃｌｋを決定することができる。そのため、第１の周波数帯域内における周波数をとる第１の受信信号は、中間周波数に変換後もサンプリングクロック信号の周波数の１／２倍の周波数の倍数と一致することが防止され、正常なＡ／Ｄ変換が可能となる。
【００４８】
また、同様に、上記式（４）によれば、中間周波数に変換した場合における第２の周波数帯域が、サンプリングクロック信号の２倍の周波数と５／２倍の周波数との範囲内に収まるように、局発信号の周波数ｆｌｏ及びサンプリングクロック信号の周波数ｆｃｌｋを決定することができる。そのため、第２の周波数帯域内における周波数をとる第２の受信信号は、中間周波数に変換後もサンプリングクロック信号の周波数の１／２倍の周波数の倍数と一致することが防止され、正常なＡ／Ｄ変換が可能となる。
【００４９】
なお、中間周波数に変換後の受信信号が、サンプリングクロック信号の周波数の１／２倍の周波数の倍数と、より一致しないようにするために、式（３）及び式（４）における不等号「≦」を「＜」に置き換えたものとしてもよい。
【００５０】
ここで、例えば、ｆ１＝８００ＭＨｚ、ｆ２＝２０００ＭＨｚ、ｆ１ＢＷ＝ｆ２ＢＷ＝２０ＭＨｚである場合について説明する。この場合、ｆｃｌｋ＝３６８．６４ＭＨｚと決定すると、（３）より、ｆ１ＩＦに関して以下の式（５）に示す関係が算出される。すなわち、ｆ１ＩＦは、以下の式（５）に示す周波数範囲に特定される。
【００５１】
３６８．６４ＭＨｚ＋１０ＭＨｚ≦ｆ１ＩＦ≦５５２．９６ＭＨｚ−１０ＭＨｚ
３７８．６４ＭＨｚ≦ｆ１ＩＦ≦５４２．９６ＭＨｚ  ・・・  （５）
【００５２】
同様に（４）より、ｆ２ＩＦに関しては以下の式（６）に示す関係が算出される。すなわち、ｆ２ＩＦは、以下の式（６）に示す周波数範囲に特定される。
【００５３】
７３７．２８ＭＨｚ＋１０ＭＨｚ≦ｆ２ＩＦ≦９２１．６ＭＨｚ−１０ＭＨｚ
７４７．２８ＭＨｚ≦ｆ２ＩＦ≦９１１．６ＭＨｚ  ・・・  （６）
【００５４】
そして、（１）（２）（５）（６）を満足するようなｆｌｏを算出する。例えば、ｆ１ＩＦ＝４００ＭＨｚ、ｆ２ＩＦ＝８００ＭＨｚとして、ｆｌｏ＝１２００ＭＨｚを算出する。このように、設定したｆｃｌｋに基づいてｆｌｏを算出する。
【００５５】
ここで、ｆｃｌｋを先に決定してｆｌｏを算出するようにしているが、ｆｃｌｋの決定値によってはｆｌｏが算出できないケースが存在する。よって、ｆｃｌｋは、例えば、以下のように設定パターンを用意しておく。すなわち、例えば、以下のような複数のサンプリングクロック信号の周波数ｆｃｌｋの候補を示す設定パターン情報をメモリ部９４に予め記憶しておき、制御部９３がそれを参照することでｆｃｌｋ、ｆｌｏを決定するとよい。
【００５６】
６１．４４ＭＨｚ
１２２．８８ＭＨｚ
１８４．３２ＭＨｚ
２４５．７６ＭＨｚ
３０７．２ＭＨｚ
３６８．６４ＭＨｚ
４３０．０８ＭＨｚ
４９１．５２ＭＨｚ
【００５７】
例えば、ｆｃｌｋ＝６１．４４ＭＨｚと決定してｆｌｏを算出し、ｆｌｏが算出可能であれば、ｆｃｌｋ＝６１．４４ＭＨｚと、そのｆｃｌｋに基づいて算出したｆｌｏを設定値として確定する。ｆｌｏが算出不可能な場合は、ｆｃｌｋ＝１２２．８８ＭＨｚと変更して、再度ｆｌｏの算出を試みる。このように、設定パターンに従ってｆｃｌｋを変更していき、ｆｌｏが算出できた時点のｆｃｌｋとｆｌｏを使用することとする。
【００５８】
ここで、以上に説明した例では、第１の周波数帯域を中間周波数に変換した場合における周波数帯域が、サンプリングクロック信号の１倍の周波数と３／２倍の周波数との範囲内に収まるようにし、第２の周波数帯域を中間周波数に変換した場合における周波数帯域が、サンプリングクロック信号の２倍の周波数と５／２倍の周波数との範囲内に収まるようにした場合について例示したが、これに限られない。サンプリングクロック信号の１／２倍の周波数の倍数となる周波数と、その直近のサンプリングクロック信号の１／２倍の周波数の倍数となる周波数との間に、中間周波数に変換した場合における周波数帯域が収まる（サンプリングクロック信号の１／２倍の周波数の倍数となる周波数を跨らない）ようにするものであればよい。
【００５９】
すなわち、以下の式（７）又は式（８）を満たすように決定されるのであれば、局発信号の周波数とサンプリング信号の周波数とを決定方法は、式（３）及び式（４）に限定されない。
【００６０】
ｎ×ｆｃｌｋ＋ｆＢＷ／２  ≦  ｆＩＦ  ≦  （ｎ＋１／２）×ｆｃｌｋ−ｆＢＷ／２  ・・・  （７）
（ｎ＋１／２）×ｆｃｌｋ＋ｆＢＷ／２  ≦  ｆＩＦ  ≦  （ｎ＋１）×ｆｃｌｋ−ｆＢＷ／２  ・・・  （８）
【００６１】
ここで、式（７）及び式（８）における「ｆｃｌｋ」、「ｆＩＦ」、「ｆＢＷ」、及び「ｎ」は、それぞれ、以下を示している。
【００６２】
ｆＩＦ：周波数帯域の中心周波数を中間周波数に変換した場合における周波数
ｆＢＷ：周波数帯域の帯域幅
ｆｃｌｋ：サンプリングクロック信号の周波数
ｎ：所定の１以上の整数（第１の周波数帯域と第２の周波数帯域で異なる値を設定可能）
【００６３】
続いて、図３Ａ〜図３Ｅを参照して、本発明の実施の形態に係るＲＥ装置１００の処理について説明する。図３〜図３Ｅのそれぞれは、本発明の実施の形態に係るＲＥ装置１００の各処理ブロックに入力される信号のスペクトラム波形を示す図である。
【００６４】
なお、ここでは、制御部９３が、ＲＥＣ装置２００から周波数帯域情報によって、上述したように、第１の周波数帯域の中心周波数ｆ１が８００ＭＨｚであり、第１の周波数帯域の帯域幅ｆ１ＢＷが２０ＭＨｚであり、第２の周波数帯域の中心周波数ｆ２が２０００ＭＨｚであり、第２の周波数帯域の帯域幅ｆ２ＢＷが２０ＭＨｚであることの通知を受け、サンプリング信号の周波数ｆｃｌｋとして３６８．６４ＭＨｚを決定し、局発信号の周波数ｆｌｏとして１２００ＭＨｚを決定した例について説明する。
【００６５】
すなわち、第１の周波数帯域が３ＧＰＰにおける８００ＭＨｚ帯で、第１の受信信号の周波数が８００ＭＨｚであり、第２の周波数帯域が３ＧＰＰにおける２ＧＨｚ帯で、第２の受信信号の周波数が２ＧＨｚである例について説明する。
【００６６】
図３Ａは、ミキサ４１に入力される合成信号における第１の受信信号と第２の受信信号のスペクトラム波形を示す。図３Ａに示すように、ミキサ４１に入力される合成信号には、第１の受信信号と第２の受信信号が含まれている。
【００６７】
また、ミキサ４１には、ＰＬＬ４２で生成された局発信号が入力される。ここでの例では、上述したように局発信号の周波数は１２００ＭＨｚである。ミキサ４１は、局発信号に基づいて、合成信号（第１の受信信号と第２の受信信号）を中間周波数に周波数変換し、Ａ／Ｄ変換器５１に出力する。
【００６８】
ここで、ミキサ４１における周波数変換後の受信信号の周波数は、上述したように、周波数変換前の受信信号の周波数と、局発信号の周波数の差の絶対値となる。すなわち、第１の受信信号は、８００ＭＨｚから４００ＭＨｚ（１２００ＭＨｚ−８００ＭＨｚ）に変換され、第２の受信信号は、２ＧＨｚから８００ＭＨｚ（２ＧＨｚ−１２００ＭＨｚ）に変換される。よって、次に説明する図３Ｂに示すように、Ａ／Ｄ変換器５１に入力される合成信号には、４００ＭＨｚの第１の受信信号と、８００ＭＨｚの第２の受信信号が含まれている。
【００６９】
図３Ｂは、ミキサ４１で周波数変換されてＡ／Ｄ変換器５１に入力される合成信号における第１の受信信号と第２の受信信号のスペクトラム波形を示す。
【００７０】
また、Ａ／Ｄ変換器５１には、ＰＬＬ５２で生成されたサンプリング信号が入力される。ここでの例では、上述したようにサンプリング信号の周波数は３６８．６４ＭＨｚである。Ａ／Ｄ変換器５１は、サンプリング信号に基づいて、合成信号（第１の受信信号と第２の受信信号）をＡ／Ｄ変換することでデジタル信号に変換し、直交復調部６１及び直交復調部６２に出力する。
【００７１】
ここで、Ａ／Ｄ変換器５１によるサンプリング後の受信信号の周波数は、サンプリング前の受信信号の周波数と、サンプリング信号の周波数の差となる。言い換えると、サンプリング信号の周波数３６８．６４ＭＨｚが０Ｈｚとみなされる形に、受信信号の周波数が変換される。すなわち、第１の受信信号は、４００ＭＨｚから３１．３６ＭＨｚ（４００ＭＨｚ−３６８．６４ＭＨｚ）に変換され、第２の受信信号は、８００Ｈｚから４３１．３６ＭＨｚ（８００Ｈｚ−３６８．６４ＭＨｚ）に変換される。よって、次に説明する図３Ｃに示すように、直交復調部６１及び直交復調部６２に入力される合成信号には、３１．３６ＭＨｚの第１の受信信号と、４３１．３６ＭＨｚの第２の受信信号が含まれている。
【００７２】
図３Ｃは、Ａ／Ｄ変換器５１でサンプリングされて直交復調部６１及び直交復調部６２に入力される合成信号における第１の受信信号と第２の受信信号のスペクトラム波形を示す。
【００７３】
直交復調部６１は、合成信号を直交復調し、ＮＣＯ部７１に出力する。直交復調部６２は、合成信号を直交復調し、ＮＣＯ部７２に出力する。直交復調部６１及び直交復調部６２に入力される合成信号における第１の受信信号と第２の受信信号のスペクトラム波形は、図３Ｃと同様となる。
【００７４】
ここで、図３Ａに示したように、受信信号の周波数が局発信号の周波数よりも低い場合には、その受信信号のスペクトラム波形は、ミキサ４１で周波数変換時に反転してしまう。すなわち、ここでの例では、図３Ａに示したように、第１の受信信号の周波数が局発信号の周波数よりも低いため、第１の受信信号のスペクトラム波形が反転してしまう。そこで、直交復調部６１は、このようにして反転してしまった第１の受信信号のスペクトラム波形を反転し直し、元に戻す。具体的には、直交復調部６１は、Ｉ信号及びＱ信号のそれぞれの符号を反転する。
【００７５】
なお、直交復調部６１に受信信号のスペクトラム波形を反転させるか否かは、制御部９３が直交復調部６１に対して事前に設定するようにすればよい。制御部９３は、局発信号とサンプリングクロック信号の周波数を決定した以降は、メモリ部９４を参照することで、受信信号の周波数（周波数帯域）と、局発信号の周波数を認識可能となっている。そのため、制御部９３は、例えば、局発信号及びサンプリングクロック信号の周波数を決定時に、メモリ部９４を参照し、図３Ａに示すように、第１の周波数帯域（第１の受信信号の周波数）が局発信号の周波数よりも低いと判断した場合には、第１の受信信号を処理する系統の直交復調部６１に対してスペクトラム波形を反転させるように動作するように設定する。
【００７６】
ＮＣＯ部７１は、直交復調部６１から入力された合成信号に周波数オフセットをかけてからフィルタ部８１に出力する。具体的には、ＮＣＯ部７１は、第１の受信信号の周波数が０Ｈｚとなるように周波数オフセットをかける。言い換えると、ＮＣＯ部７１は、−３１．３６ＭＨｚの周波数オフセットをかける。これにより、第１の受信信号は、３１．３６ＭＨｚから０Ｈｚ（３１．３６ＭＨｚ−３１．３６ＭＨｚ）に変換され、第２の受信信号は、４３１．３６Ｈｚから４００ＭＨｚ（４３１．３６ＭＨｚ−３１．３６ＭＨｚ）に変換される。よって、次に説明する図３Ｄに示すようにフィルタ部８１に入力される合成信号には、０Ｈｚの第１の受信信号と、４００ＭＨｚの第２の受信信号が含まれる。
【００７７】
ＮＣＯ部７２は、直交復調部６２から入力された合成信号に周波数オフセットをかけてからフィルタ部８２に出力する。具体的には、ＮＣＯ部７２は、第２の受信信号の周波数が０Ｈｚとなるように周波数オフセットをかける。言い換えると、ＮＣＯ部７２は、−４３１．３６ＭＨｚの周波数オフセットをかける。これにより、第１の受信信号は、３１．３６ＭＨｚから−４００Ｈｚ（３１．３６ＭＨｚ−４３１．３６ＭＨｚ）に変換され、第２の受信信号は、４３１．３６Ｈｚから０Ｈｚ（４３１．３６ＭＨｚ−４３１．３６ＭＨｚ）に変換される。よって、次に説明する図３Ｅに示すようにフィルタ部８２に入力される合成信号には、−４００Ｈｚの第１の受信信号と、０Ｈｚの第２の受信信号が含まれる。
【００７８】
図３Ｄは、フィルタ部８１に入力される合成信号における第１の受信信号と第２の受信信号のスペクトラム波形を示す。
【００７９】
ここで、フィルタ部８１は、第１の受信信号以外の帯域制限を行う通過特性を有している。すなわち、図３Ｄに示すように、フィルタ部８１の通過帯域内に第１の受信信号が入り、第２の受信信号はフィルタ部８１の通過帯域外になる。すなわち、ここでの例では、フィルタ部８１は、第１の受信信号の周波数調整後の周波数帯域（０ＭＨｚ±１０ＭＨｚ）は通過させ、それ以外の周波数帯域は抑圧されて通過させない特性を有している。これによって、フィルタ部８１は、合成信号から第１の受信信号を抽出して、ＣＰＲＩインタフェース部９１に出力する。
【００８０】
図３Ｅは、フィルタ部８２に入力される合成信号における第１の受信信号と第２の受信信号のスペクトラム波形を示す。
【００８１】
ここで、フィルタ部８２は、第２の受信信号以外の帯域制限を行う通過特性を有している。すなわち、図３Ｅに示すように、フィルタ部８２の通過帯域内に第２の受信信号が入り、第１の受信信号はフィルタ部８２の通過帯域外になる。すなわち、ここでの例では、フィルタ部８２は、第２の受信信号の周波数調整後の周波数帯域（０ＭＨｚ±１０ＭＨｚ）は通過させ、それ以外の帯域は抑圧されて通過させない特性を有している。これによって、フィルタ部８２は、合成信号から第２の受信信号を抽出して、ＣＰＲＩインタフェース部９１に出力する。
【００８２】
このようにして、中間周波数に変換後の第１の受信信号の周波数及び第２の受信信号の周波数が、サンプリングクロック信号の１／２倍の周波数の倍数となる周波数と一致しないように受信信号を正常に処理することが可能である。また、３ＧＰＰで規定された異なる周波数帯域を利用した第１の受信信号と第２の受信信号を、低雑音増幅器からＡ／Ｄ変換器まで１系統の受信機で処理することを実現している。
【００８３】
なお、ＮＣＯ部７１、７２及びフィルタ部８１、８２では、処理対象の受信信号を０Ｈｚに合わせて、その周波数（０Ｈｚ）を中心として受信信号の周波数帯域幅で受信信号を抽出するようにしているが、これに限られない。０Ｈｚ以外の予め任意に定めた周波数に合わせて、その周波数を中心とした通過特性のフィルタによって受信信号を抽出するようにしてもよい。また、ＮＣＯ部７１及びフィルタ部８１と、ＮＣＯ部７２及びフィルタ部８２とで異なる周波数に合わせて受信信号を抽出するようにしてもよい。
【００８４】
以上説明したように、本実施の形態では、制御部９３は、ＲＥＣ装置２００から通知された第１の周波数帯域及び第２の周波数帯域に基づいて、中間周波数に変換した場合における第１の周波数帯域、及び、中間周波数に変換した場合における第２の周波数帯域が、サンプリングクロック信号の１／２倍の周波数の倍数となる周波数を跨らないように、局発信号の周波数及びサンプリングクロック信号の周波数を決定するようにしている。
【００８５】
これによれば、第１の受信信号の運用に利用される第１の周波数帯域及び第２の受信信号の運用に利用される第２の周波数帯域が変更された場合であっても、外部から通知するのみで、第１の周波数帯域における第１の受信信号の周波数と、第２の周波数帯域における第２の受信信号の周波数が、サンプリリングクロック信号の周波数と一致することを防止することができるため、Ａ／Ｄ変換（サンプリング）を正常に実施することが可能となる。すなわち、受信信号の運用周波数帯域が変更された場合であっても柔軟に対応することができる。
【００８６】
例えば、第１の周波数帯域及び第２の周波数帯域として８００ＭＨｚ帯及び２ＧＨｚ帯で運用していた場合に、いずれか一方を新たな運用周波数帯域（例えば１５００ＭＨｚ）に変更して運用を開始する場合、本実施の形態を適用していない場合には、８００ＭＨｚ帯又は２ＧＨｚ帯のアンテナ及びフィルタのみならず、ＲＥも取り外し、新たに１５００ＭＨｚ帯に対応したアンテナ、フィルタ、及びＲＥを取り付ける作業が発生する。それに対して、本実施の形態によれば、１５００ＭＨｚ帯に対応したアンテナ及びフィルタに入れ替えるのみで、制御部９３がＲＥＣ装置２００から通知された新たな周波数帯域（新たな周波数帯域の中心周波数及び帯域幅）に基づいて、自動的にＰＬＬ４２及びＰＬＬ５２の設定を行うことができる。そのため、ＲＥ装置１００の交換という大掛かりな作業を必要とせず、アンテナ及びフィルタの交換という軽微な作業で受信信号の周波数変更が実現できる。
【００８７】
また、その他にも、本実施の形態によれば、運用当初はＩｎｔｅｒ−ｂａｎｄ  ＣＡのサービスを実施していなかったが、運用途中からＩｎｔｅｒ−ｂａｎｄ  ＣＡを実施するように変更する場合にも柔軟に対応することができる。例えば、運用当初は８００ＭＨｚ帯のみの運用とした場合、２ＧＨｚ帯用のアンテナ１２とフィルタ２２は備えていないものとする。この場合であっても、無線基地局１０の管理者が、ＲＥ装置１００に２ＧＨｚ帯用のアンテナ１２とフィルタ２２を取り付けた後に、専用端末からＲＥＣ装置２００を介して８００ＭＨｚ帯の周波数帯域と、２ＧＨｚ帯の周波数帯域とをＲＥ装置１００に通知することで、上述したように、適切な局発信号の周波数及びサンプリングクロック信号の周波数でＲＥ装置１００が動作を開始することが可能となる。
【００８８】
また、本実施の形態によれば、低雑音増幅器３１からＡ／Ｄ変換器５１までを１系統で実現しているため、物理的に小型のＲＥ装置１００を実現できることである。また、本実施の形態における局発信号及びサンプリングクロック信号の周波数の決定方法によれば、このような低雑音増幅器３１からＡ／Ｄ変換器５１までを１系統として、２つの受信信号を処理する場合であっても、上述したように適切な周波数を決定することが可能である。
【００８９】
＜発明の他の実施の形態＞
上述したように、ミキサ４１で受信信号を周波数変換する際に、受信信号の周波数が局発信号の周波数よりも低い場合には、その受信信号のスペクトラム波形が反転してしまう。そのため、この場合には、上述したように、直交復調部６１、６２でスペクトラム波形を反転して元に戻す必要がある。
【００９０】
その一方で、Ａ／Ｄ変換器５１で受信信号をＡ／Ｄ変換する際に、中間周波数に変換後の受信信号の周波数が、サンプリングクロック信号の周波数の（ｎ＋１／２）倍の周波数から、サンプリングクロック信号の周波数の（ｎ＋１）倍の周波数までの間に位置する場合にも、Ａ／Ｄ変換をする際に、その受信信号のスペクトラム波形が反転する（ここで、ｎは、所定の１以上の整数である）。すなわち、周波数帯域が上述した式（８）を満たすように局発信号の周波数とサンプリング信号の周波数とを決定した場合には、その周波数帯域における受信信号は、Ａ／Ｄ変換をする際にスペクトラム波形が反転するようになる。
【００９１】
そこで、制御部９３は、局発信号の周波数を、第１の周波数帯域と第２の周波数帯域の間の周波数とし、かつ、第１の周波数帯域及び第２の周波数帯域のうち、いずれか一方については上記式（７）を満たし、他方については上記式（８）を満たすように、局発信号の周波数とサンプリング信号の周波数とを決定するようにしてもよい。
【００９２】
これによれば、直交復調部６１、６２での直交復調時に、第１の受信信号と第２の受信信号のスペクトラム波形の反転状態を一致させることができる。すなわち、これによれば、制御部９３は、直交復調部６１と直交復調部６２におけるスペクトラム波形を反転させるか否かの設定を同一にすることができるため、制御部９３からＰＬＬ４２、５２に対する設定時の処理を簡易にすることができる。
【００９３】
例えば、図３Ａに示すように、局発信号の周波数が、第１の周波数帯域と第２の周波数帯域の間の周波数とし、かつ、第１の周波数帯域ついては上記式（８）を満たし、第２の周波数帯域については上記式（７）を満たすように、局発信号の周波数とサンプリング信号の周波数とを決定した場合、第１の受信信号のスペクトラム波形は、周波数変換時に反転し、Ａ／Ｄ変換時に再度反転して元に戻る。そのため、制御部９３は、この場合には、直交復調部６１及び直交復調部６２に対してスペクトラム波形を反転させないように動作するように同一の設定を行う。また、制御部９３が、この場合には、直交復調部６１及び直交復調部６２を、制御部９３からの設定なしに、常に固定的にスペクトラム波形を反転せずに直交復調をするように動作するする回路構成としてもよい。そのようにすることで、直交復調部６１及び直交復調部６２に制御部９３からの制御に応じてスペクトラム波形を反転せるか否かを切り替える機構を備える必要が無くなり、直交復調部６１及び直交復調部６２の回路構成を簡易にすることができる。
【００９４】
また、例えば、図３Ａに示すように、局発信号の周波数が、第１の周波数帯域と第２の周波数帯域の間の周波数とし、かつ、第１の周波数帯域ついては上記式（７）を満たし、第２の周波数帯域については上記式（８）を満たすように、局発信号の周波数とサンプリング信号の周波数とを決定した場合、第１の受信信号のスペクトラム波形が周波数変換時に反転し、第２の受信信号のスペクトラム波形もＡ／Ｄ変換時に反転する。そのため、制御部９３は、この場合には、直交復調部６１及び直交復調部６２に対してスペクトラム波形を反転させるように動作するように同一の設定を行う。また、制御部９３が、この場合には、直交復調部６１及び直交復調部６２を、制御部９３からの設定なしに、常に固定的にスペクトラム波形を反転して直交復調をするように動作する回路構成としてもよい。そのようにすることで、直交復調部６１及び直交復調部６２に制御部９３からの制御に応じてスペクトラム波形を反転せるか否かを切り替える機構を備える必要が無くなり、直交復調部６１及び直交復調部６２の回路構成を簡易にすることができる。
【００９５】
＜発明の実施の形態の概要＞
続いて、図４を参照して、本発明の実施の形態に係るＲＥ装置１００の概要となる無線装置１の構成について説明する。図４は、本発明の実施の形態に係る無線装置１の構成図である。すなわち、上述した本実施の形態に係るＲＥ装置１００は、その概要構成として、図４に示す無線装置１のように捉えることもできる。
【００９６】
無線装置１は、加算器２、ミキサ３、局発信号供給部４、Ａ／Ｄ変換器５、サンプリング信号供給部６、及び制御部７を有する。
【００９７】
加算器２は、第１の周波数帯域における第１の受信信号と、第１の周波数帯域とは異なる第２の周波数帯域における第２の受信信号とを合成し、合成信号を生成する。加算器２は、加算器２３に対応する。
【００９８】
ミキサ３は、加算器２によって生成された合成信号を、局発信号に基づいて中間周波数に変換する。局発信号供給部４は、局発信号を生成し、ミキサ３に供給する。ミキサ３は、ミキサ４１に対応し、局発信号供給部４は、ＰＬＬ４２に対応する。
【００９９】
Ａ／Ｄ変換器５は、ミキサ３によって変換後の合成信号を、サンプリング信号に基づいてＡ／Ｄ変換する。サンプリング信号供給部６は、サンプリング信号を生成し、Ａ／Ｄ変換器５に供給する。Ａ／Ｄ変換器５は、Ａ／Ｄ変換器５１に対応し、サンプリング信号供給部６は、ＰＬＬ５２に対応する。
【０１００】
制御部７は、局発信号供給部４が生成する局発信号の周波数と、サンプリング信号供給部６が生成するサンプリング信号の周波数とを制御する。ここで、制御部７は、外部から通知された第１の周波数帯域及び第２の周波数帯域に基づいて、中間周波数に変換した場合における第１の周波数帯域、及び、中間周波数に変換した場合における第２の周波数帯域が、サンプリング信号の１／２倍の周波数の倍数となる周波数を跨らないように、局発信号の周波数及びサンプリング信号の周波数を決定する。制御部７は、制御部９３に対応する。
【０１０１】
これによれば、第１の受信信号の運用に利用される第１の周波数帯域及び第２の受信信号の運用に利用される第２の周波数帯域が変更された場合であっても、外部から通知するのみで、第１の周波数帯域における第１の受信信号の周波数と、第２の周波数帯域における第２の受信信号の周波数が、サンプリリング信号の周波数と一致することを防止するように、局発信号の周波数及びサンプリング信号の周波数を決定することができる。そのため、Ａ／Ｄ変換（サンプリング）を正常に実施することが可能となる。すなわち、受信信号の運用周波数帯域が変更された場合であっても柔軟に対応することができる。
【０１０２】
なお、本発明は上記実施の形態に限られたものではなく、趣旨を逸脱しない範囲で適宜変更することが可能である。
【符号の説明】
【０１０３】
１  無線装置
２、２３  加算器
３、４１  ミキサ
４  局発信号供給部
５、５１  Ａ／Ｄ変換器
６  サンプリング信号供給部
７、９３  制御部
１０  無線基地局
１１、１２  アンテナ
２１、２２  フィルタ
３１  低雑音増幅器
４２、５２  ＰＬＬ
６１、６２  直交復調部
７１、７２  ＮＣＯ分
８１、８２  フィルタ部
９１、９５  ＣＰＲＩインタフェース部
９２  光ファイバ
９４  メモリ部
９６  処理部
９７  設定インタフェース部
１００  ＲＥ
２００  ＲＥＣ装置
【図１】
2014146971.tif 000003
【図２Ａ】
2014146971.tif 000004
【図２Ｂ】
2014146971.tif 000005
【図３Ａ】
2014146971.tif 000006
【図３Ｂ】
2014146971.tif 000007
【図３Ｃ】
2014146971.tif 000008
【図３Ｄ】
2014146971.tif 000009
【図３Ｅ】
2014146971.tif 000010
【図４】
2014146971.tif 000011